(57)【特許請求の範囲】
【請求項１】
連通口を有し、前記連通口から流入した空気に含まれる塵埃を捕集する集塵体と、
前記集塵体を収容すべく、前記集塵体を出し入れさせるための開口部を側面下方部に有する本体と、
前記本体の開口部を覆う着脱可能な蓋体とを備え、
前記蓋体には、その下端部に吸込口が、内面に送込口がそれぞれ設けられ、且つ内部に前記吸込口と送込口とを連通させる連通部が設けられ、
前記集塵体は、前記連通口を前記送込口に対向させた状態で前記蓋体の内面に着脱可能に装着されることを特徴とする集塵装置。
【請求項２】
前記蓋体の前記吸込口は、前記蓋体の下端部側面に開口した請求項１に記載の集塵装置。
【請求項３】
前記蓋体は、前記吸込口の上縁部に、モップが擦りつけられることによって前記モップから塵埃を離脱させる塵埃離脱手段を備える請求項２記載の集塵装置。
【請求項４】
前記蓋体は、空気を吸い込むのを停止する状態にて前記連通部を閉塞させ、且つ空気を吸い込む状態にて当該閉塞を解除させる閉塞部材を備える請求項１〜３の何れか１項に記載の集塵装置。
【請求項５】
前記蓋体は、前記集塵体を装着すべく係止する係止位置と、前記集塵体を離脱すべく当該係止を解除する解除位置とに変位可能な係止部材を備え、
前記係止部材は、前記集塵体を装着しない状態では前記蓋体が前記本体に装着されないよう規制するように構成される請求項１〜４の何れか１項に記載の集塵装置。
【発明の詳細な説明】
【技術分野】
【０００１】
本発明は、吸込口から空気を吸い込み、空気中の塵埃を集塵体に捕集するように構成される集塵装置に関する。
【背景技術】
【０００２】
従来、集塵装置として、空気を吸い込んで吐き出す間に空気に含まれる塵埃を集塵体に捕集する集塵装置が知られている（例えば、特許文献１）。かかる集塵装置は、集塵体が本体に対して着脱可能に構成される。そして、かかる集塵装置は、集塵体が本体の開口部から入れられ、開口部が蓋体に覆われることにより、集塵体を内部に収容する。
【０００３】
かかる集塵装置は、本体に設けられる吸込口から吸い込まれた空気が集塵体を内から外へと通過する際に、濾過機能を有する集塵体が空気から塵埃を捕集する。そして、かかる集塵装置においては、集塵体で塵埃を捕集した後、集塵体を本体から離脱して、新しい物に交換したり、塵埃を除去した（取り除いた）後に再装着したりする。
【特許文献１】特開２０００−３３３８８６号公報
【発明の開示】
【発明が解決しようとする課題】
【０００４】
しかしながら、集塵体を交換したり、再装着したりする作業においては、まず、蓋体を本体から離脱させた（又は、蓋体を開けた）後に、集塵体を本体から離脱させて塵埃を除去し、さらに、集塵体を本体に装着した後に、蓋体を本体に装着する（蓋体を閉じる）必要があり、かかる作業は、非常に複雑で面倒である。
【０００５】
よって、本発明は、かかる事情に鑑み、本体に対して集塵体を着脱する作業を簡素化できる集塵装置を提供することを課題とする。
【課題を解決するための手段】
【０００６】
本発明に係る集塵装置は、連通口を有し、前記連通口から流入した空気に含まれる塵埃を捕集する集塵体と、前記集塵体を収容すべく、前記集塵体を出し入れさせるための開口部を側面下方部に有する本体と、前記本体の開口部を覆う着脱可能な蓋体とを備え、前記蓋体には、その下端部に吸込口が、内面に送込口がそれぞれ設けられ、且つ内部に前記吸込口と送込口とを連通させる連通部が設けられ、前記集塵体は、前記連通口を前記送込口に対向させた状態で前記蓋体の内面に着脱可能に装着されることを特徴とする。
【０００８】
また、本発明に係る集塵装置は、蓋体の前記吸込口は、前記蓋体の下端部側面に開口してもよい。
【００１０】
また、本発明に係る集塵装置においては、前記蓋体は、前記吸込口の上縁部に、モップが擦りつけられることによって前記モップから塵埃を離脱させる塵埃離脱手段を備えてもよい。
【００１２】
また、本発明に係る集塵装置においては、前記蓋体は、空気を吸い込むのを停止する状態にて前記連通部を閉塞させ、且つ空気を吸い込む状態にて当該閉塞を解除させる閉塞部材を備えてもよい。
【００１４】
また、本発明に係る集塵装置においては、前記蓋体は、前記集塵体を装着すべく係止する係止位置と、前記集塵体を離脱すべく当該係止を解除する解除位置とに変位可能な係止部材を備え、前記係止部材は、前記集塵体を装着しない状態では前記蓋体が前記本体に装着されないよう規制するような構成を採用してもよい。
【発明の効果】
【００１６】
以上の如く、本発明に係る集塵装置によれば、蓋体が集塵体と一体になって本体に対して着脱できるため、本体に対して集塵体を着脱する作業を簡素化することができるという優れた効果を奏する。
【発明を実施するための最良の形態】
【００１７】
以下、本発明に係る集塵装置における一実施形態について、図１〜図９を参酌して説明する。
【００１８】
なお、本実施形態においては、例えば、図１に示すようなモップ２００により集められた塵埃や、モップ２００に付着する塵埃を吸い込む集塵装置１について説明する。モップ２００は、例えば、床上の塵埃を拭き取るモップ本体２０１と、作業者に把持されるハンドル２０２とを備えて構成される。
【００１９】
モップ本体２０１は、平板状に形成され、直線状に形成される外縁の部位と曲線状に形成される外縁の部位とを備える。そして、モップ本体２０１は、床と接触する一方の面（下面）や外縁に多数の紡糸を備え、紡糸が塵埃を付着可能に構成させることにより、塵埃をまき散らすことなく拭き取ることができる。
【００２０】
本実施形態に係る集塵装置１は、図１〜図３に示すように、空気に含まれる塵埃を捕集する集塵体１００を収容すべく、集塵体１００を出し入れされるための開口部２０ａを有する本体２と、本体２の開口部２０ａを覆う蓋体３とを備え、集塵体１００に塵埃を捕集させるべく、吸込口３１ａから空気を吸い込み可能に構成される。
【００２１】
そして、集塵装置１は、蓋体３が集塵体１００と一体になって本体２に対して着脱可能に構成される。また、集塵装置１は、集塵体１００を装着しない状態で蓋体３を本体２に装着するのを防止すべく、集塵体１００を装着しない蓋体３を本体２に装着できないように構成される。
【００２２】
本実施形態において採用される集塵体１００は、蓋体３に対して着脱可能に構成される。具体的には、集塵体１００は、塵埃を内部に捕集（収容）するために中空状に形成されると共に、蓋体３に固定される固定部１０１と、空気が通過する際に空気を濾過する濾過部１０２とを備える。
【００２３】
固定部１０１は、集塵体１００の内部に空気を入れるための円形状の連通口１０１ａを備える。そして、固定部１０１は、平面状に形成される蓋体３の部位に密接するように平面状に形成される。また、固定部１０１は、例えば、硬質な紙で矩形状に形成される。
【００２４】
濾過部１０２は、連通口１０１ａから集塵体１００の内部に入った空気が通過する際に、空気から塵埃を捕集可能に構成される。そして、濾過部１０２は、伸縮自在な袋状であって、伸びた状態において直方体状となるように形成される。また、濾過部１０２は、例えば、通気性を有する軟質な紙で形成される。
【００２５】
本体２は、図２〜図５に示すように、集塵体１００を収容する集塵体収容部２０と、集塵体収容部２０より外方に配置され、蓋体３の少なくとも一部を収容する蓋体収容部２１とを備える。そして、本体２は、集塵体１００に塵埃を捕集させるべく、気流を発生させる送風機２２と、集塵体１００を通過した空気を外部（即ち、集塵装置１の外部）に吐き出すための吐出口２３とを備える。
【００２６】
また、本体２は、送風機２２に電源を供給する電源供給部（図示しない）と、送風機２２の運転及び停止の切り替え操作を行うための操作釦２４とを備える。さらに、本体２は、モップ２００を収容可能なモップ収容部２５と、モップ収容部２５にモップ２００を収容しないときに、モップ収容部２５をカバーするカバー部材２６とを備える。
【００２７】
集塵体収容部２０は、集塵体１００を出し入れされるための開口部２０ａが設けられる。また、集塵体収容部２０は、集塵体１００を通過した空気を吐出口２３に向けて吐き出す第１通気口２０ｂ，…と、送風機２２を保護するための第２通気口２０ｃ，…とを備える。
【００２８】
開口部２０ａは、集塵体１００より大きく形成される一方、蓋体３より小さく形成される。そして、開口部２０ａは、蓋体３と集塵体収容部２０とを密着させるべく、内縁にパッキン（採番しない）が取り付けられている。
【００２９】
第２通気口２０ｃは、例えば、集塵体１００が塵埃を捕集し過ぎた場合に、空気の流通が無くなり自冷式の送風機２２を損傷（過熱）させるのを防止するため、本体２の僅かな隙間から空気を吸い込み、空気の流通を維持させるために設けられている。なお、本体２の内部が所定以上負圧となった場合に開放される安全弁が設けられていてもよい。
【００３０】
蓋体収容部２１は、蓋体３の装着状態を維持すべく、蓋体３の部位と係合可能な凹状の第１係合部２１ａ及び凸状の第２被係合部２１ｂを備える。また、蓋体収容部２１は、集塵体１００を装着しない蓋体３が本体２に装着されるのを防止する干渉部２１ｃを備える。
【００３１】
第１係合部２１ａは、蓋体３の凸状の部位（後で詳細を記載する「第１被係合部」）を内嵌して、蓋体３の当該部位を係合するように構成される一方、第２被係合部２１ｂは、蓋体３の凹状の部位（後で詳細を記載する「第２係合部」）に内嵌され、蓋体３の当該部位に係合されるように構成される。
【００３２】
また、第２被係合部２１ｂは、押圧されることにより内方へ移動し、かかる押圧が解除されると、外方へ移動して元の位置に戻るように構成される。具体的には、第２被係合部２１ｂは、押圧されることにより平坦状となり、かかる押圧が解除されると、復旧して再び凸状となる。
【００３３】
干渉部２１ｃは、集塵体１００を装着しない蓋体３を本体２に装着しようとする場合に、蓋体３と干渉するように構成される。そして、干渉部２１ｃは、集塵体収容部２０から蓋体収容部２１に向けて延設される。
【００３４】
具体的には、干渉部２１ｃは、蓋体３を収容する空間に配置され、集塵体１００を装着する蓋体３を本体２に装着する場合には、蓋体２を干渉することがなく、集塵体１００を装着しない蓋体３を本体２に装着しようとする場合には、蓋体２と干渉するように構成される。
【００３５】
蓋体３は、図６〜図８に示すように、本体２の開口部２０ａを覆うように形成される蓋本体３０を備える。また、蓋体３は、吸い込んだ空気を集塵体１００に送り込むための連通部３１を備える。具体的には、蓋体３は、一端部に吸込口３１ａが設けられ且つ吸い込んだ空気を集塵体１００に送り込むための連通部３１を備える。
【００３６】
そして、蓋体３は、空気を吸い込むのを停止する状態にて連通部３１を閉塞し且つ空気を吸い込む状態にて当該閉塞を解除する閉塞部材３２を備える。さらに、蓋体３は、集塵体１００を着脱するための着脱手段３３を備える。
【００３７】
蓋本体３０は、本体２の凹状の第１係合部２１ａ，２１ａに内嵌されて係合される凸状の第１被係合部３０ａ，３０ａを備える。また、蓋本体３０は、本体２の凸状の第２被係合部２１ｂ，２１ｂを内嵌して係合する凹状の第２係合部３０ｂ，３０ｂを備える。
【００３８】
連通部３１は、一端側に吸込口３１ａを備える一方、他端側に、集塵体１００に空気を送り込むための送込口３１ｂを備える。そして、連通部３１は、集塵体１００の内部と集塵装置１の外部とが通じるように構成される。なお、吸込口３１ａは、長尺（横長）に形成される一方、送込口３１ｂは、集塵体１００の連通口１０１ａに対応して円形状に形成される。
【００３９】
閉塞部材３２は、本体２が空気を吸い込むのを停止している際に、集塵体１００の内部が連通部３１を介して集塵装置１の外部と通じるのを防止する一方、本体２が空気を吸い込むのに伴い、集塵体１００の内部が連通部３１を介して集塵装置１の外部と通じるように構成される。具体的には、閉塞部材３２は、送込口３１ｂに嵌合される環状部３２ａと、環状部３２ａに内嵌され、外縁の一部が環状部３２ａの内縁に連結される板状の内嵌部３２ｂとを備えて構成される。
【００４０】
内嵌部３２ｂは、本体２が空気を吸い込むのを停止している際に、連通部３１の送込口３１ｂを覆うように配置され、本体２が空気を吸い込むのに伴い、連結される部位（上端部）を中心に回動し、連通部３１の送込口３１ｂを開放するように構成される。
【００４１】
具体的には、内嵌部３２ｂは、弾性を有し、集塵体１００の連通口１０１ａより小さい円形状に形成され、本体２が空気を吸い込む状態にて、下端側が連通口１０１ａに挿入するように回動する一方、本体２が空気を吸い込むのを停止する状態にて、送込口３１ｂを覆う位置に戻るように回動する。
【００４２】
なお、内嵌部３２ｂは、下端側が連通口１０１ａに挿入するように回動するのを容易にすべく、上端側で且つ集塵体１００側に切り欠きが設けられる。また、内嵌部３２ｂは、下端側が送込口３１ｂに係止されて送込口３１ｂ側に回動するのを防止すべく、送込口３１ｂより大きい円形状に形成される。
【００４３】
着脱手段３３は、集塵体１００を装着すべく係止する状態と、集塵体１００を離脱すべく当該係止を解除する状態とに切り替え可能に構成される。そして、着脱手段３３は、蓋本体３０に対して変位可能な係止部材３３ａと、蓋本体３０に固定される爪部３３ｂ，…とを備える。
【００４４】
具体的には、着脱手段３３は、係止部材３３ａが集塵体１００の固定部１０１の一辺側を係止すると共に、爪部３３ｂ，…が集塵体１００の固定部１０１の他辺側（対辺側）を係止することにより、集塵体１００を装着可能に構成される。なお、爪部３３ｂは、集塵体１００の固定部１０１と直交する板状に形成され、さらに、先端がテーパ状に形成されている。
【００４５】
係止部材３３ａは、集塵体１００を装着すべく係止する係止位置と、集塵体１００を離脱すべく当該係止を解除する解除位置とに変位可能に構成される。具体的には、係止部材３３ａは、バネ（図示しない）により付勢され（図８における左から右への方向に付勢され）、集塵体１００に当接することにより係止位置（図８（ａ）に示す位置）に位置すると共に、バネの付勢力に反して変位されることにより解除位置（図８（ｂ）に示す位置）に位置する。
【００４６】
そして、係止部材３３ａは、蓋体３が集塵体１００を装着しない状態で、且つバネの付勢力に反する力を作用されない状態においては、蓋本体３０に設けられる凸状の規制部３０ｃに係止され、バネの付勢による変位を規制される規制位置（図８（ｃ）に示す位置）に位置する。なお、係止位置は、解除位置と規制位置との間に位置することになる。
【００４７】
また、係止部材３３ａは、集塵体１００を装着しない状態で係止位置とは別の位置に位置し、集塵体１００を装着しない蓋体３を本体２に装着しようとする場合には、係止部材３３ａが本体２と干渉するように構成される。
【００４８】
具体的には、係止部材３３ａは、係止位置に位置する状態にて蓋体３が本体２に装着しようとする場合には、本体２の干渉部２１と干渉することなく、蓋体３を本体２に装着できる一方、規制位置に位置する状態にて蓋体３を本体２に装着しようとする場合には、本体２の干渉部２１と干渉し、蓋体３を本体２に装着することができないように構成されている。
【００４９】
なお、係止部材３３ａは、凹状部３３ｃが形成されることにより、作業者が操作しやすいように指を掛止可能な掛止部３３ｄが壁状に立設され、蓋体３が本体２に装着されている状態においては、干渉部２１と干渉するのを防止すべく、凹状部３３ｃが本体２から蓋体３に向けて延設されている干渉部２１の先端を収容する一方、規制位置に位置する状態にて蓋体３を本体２に装着しようとする場合には、掛止部３３ｄが本体２の干渉部２１と干渉するように構成されている。
【００５０】
ところで、集塵装置１は、図１〜図８に示したように、水平方向において湾出して形成される側面の部位における下端部に、吸込口３１ａが設けられる。具体的には、集塵装置１は、上下方向に沿って縦長に形成されると共に、水平方向（横方向）における断面が楕円状に形成され、曲面状の側面の部位における下端部に、横長の吸込口３１ａが設けられる。
【００５１】
そして、集塵装置１は、モップ２００で集めた塵埃を吸込口３１ａから空気と共に吸い込むだけでなく、吸込口３１ａの上縁部がモップ本体２０１と接触する（擦れあう）ことにより、モップ本体２０１（の紡糸）に付着した塵埃を空気と共に吸い込むべく、吸込口３１ａの高さ方向の開口寸法が、モップ本体２０１の高さ方向の寸法と略同一又は若干小さく形成される。
【００５２】
また、集塵装置１は、吸込口３１ａの上縁部に、モップ本体２０１と接触することによりモップ本体２０１に付着する塵埃をモップ本体２０１から離脱させる塵埃離脱手段３４を備える。さらに、集塵装置１は、吸込口３１ａの下縁部に、モップ本体２０１が挿入される部分以外から空気を吸い込むのを防止するシール部材３５を備える。
【００５３】
塵埃離脱手段３４は、弾性を有し、モップ本体２０１よりも、塵埃と付着する力が大きくなるように形成される。そして、塵埃離脱手段３４は、板状に形成され、表側に上下方向に沿って形成される凸部３４ａ，…が所定の間隔を有して横方向に並設されている。
【００５４】
シール部材３５は、板状に形成され、さらに、弾性を有することにより、載置される床に密着するように構成される。したがって、シール部材３５は、集塵装置１の表側から空気を吸い込む吸込口３１ａに対し、集塵装置１の裏側から底部を介して空気を吸い込むのを防止している。なお、塵埃離脱手段３４及びシール部材３５は、本体２の下方側に設けられる開口部２０ａを覆う蓋体３に設けられている。
【００５５】
本実施形態に係る集塵装置１の構成は以上の通りであり、次に、本実施形態にかかる集塵装置１の作用について説明する。
【００５６】
まず、操作釦２４を押して送風機２２の運転を開始させると、連通部３１の送込口３１ｂを覆う閉塞部材３２の内嵌部３２ｂが回動して、集塵体１００の内部が連通部３１を介して集塵装置１の外部と通じることになる。これにより、モップ２００で集めた塵埃や、モップ本体２０１に付着した塵埃が吸込口３１ａから空気と共に吸い込まれる。
【００５７】
そして、特に、直線状の外縁の部位と曲線状の外縁の部位とを有するモップ本体２０１に付着した塵埃を集塵装置１に吸い込ませる際には、図９に示すように、モップ本体２０１の先端が吸込口３１ａに吸い込まれるように、モップ本体２０１を集塵装置１に対して移動させる。
【００５８】
例えば、モップ本体２０１における曲線状の外縁の部位については、図９（ａ）に示すように、外縁の部位の形状に対応して、モップ本体２０１を回転するよう（矢印Ａの方向に）に移動させる。また、モップ本体２０１における直線状の外縁の部位については、図９（ｂ）に示すように、外縁の部位の形状に対応して、モップ本体２０１を直線的（矢印Ｂの方向）に移動させる。
【００５９】
そして、蓋体３の吸込口３１ａから吸い込まれた空気が蓋体３の送込口３１ｂ及び集塵体１００の連通口１０１ａを介して集塵体１００を通過する。このとき、濾過機能を有する集塵体１００の濾過部１０２により、通過する空気から塵埃が捕集され、中空状に形成される集塵体１００の内部に収容される。
【００６０】
そして、集塵体１００を通過することにより塵埃を分離（除去）された空気が、収容部２０の第１通気口２０ｂを介して、吐出口２３から吐き出される。このようにして、空気から塵埃を捕集することができる。
【００６１】
次に、集塵体１００を蓋体３から離脱させる際には、蓋体３の第２係合部３０ａ側の端部を把持し、かかる端部が本体２から離反するように引くことにより、蓋体３の第２係合部３０ａと本体２の第２被係合部２１ｂとの係合が解除され、本体２から蓋体３を離脱できる。そして、本体２から蓋体３を離脱させることにより、集塵体１００が蓋体３と一体になって本体２から離脱する。
【００６２】
このとき、本体２が空気を吸い込むのを停止させているため、閉塞部材３２が元の位置に戻り送込口３１ｂを覆っている。これにより、集塵体１００の内部が連通部３１を介して集塵装置１の外部と通じるのを防止しているため、捕集した塵埃が集塵体１００の内部から外部に出るのを防止している。
【００６３】
そして、掛止部３３ｄを指で掛止して、係止部材３３ａを解除位置に位置するように変位させると、係止部材３３ａが集塵体１００と離間することにより、集塵体１００を蓋体３から離脱できる。これにより、例えば、別の場所のゴミ袋等の中にて、係止部材３３ａにより蓋体３から集塵体１００を離脱させると、集塵体１００で捕集した塵埃が周辺に散らかるのを防止することもできる。
【００６４】
また、集塵体１００を蓋体３に装着させる際には、掛止部３３ｄを指で掛止して係止部材３３ａを解除位置に位置させた状態で、集塵体１００の固定部１０１の他辺側を蓋体３の爪部３３ｂ，…に係止させる。そして、掛止部３３ｄから指を離す（バネの付勢力に反する力を解除する）と、係止部材３３ａが集塵体１００に当接する係止位置に変位して集塵体１００の固定部１０１の一辺側を係止する。
【００６５】
そして、蓋体３に設けられる凸状の第１被係合部３０ｂ，３０ｂを本体２の凹状の第１係合部２１ａ，２１ａに係合させて、第１被係合部３０ｂ，３０ｂ側の端部を中心に第２係合部３０ａ，３０ａ側の端部を本体２に接近させるように、蓋体３を本体２に向けて押す。かかる場合、係止部材３３ａが係止位置に位置しているため、係止部材３３ａに設けられる凹状部３３ｃにより干渉部２１ｃが係止部材３３ａと干渉することがない。
【００６６】
これにより、本体２に設けられた凸状の第２被係合部２１ｂ，２１ｂが、蓋体３に設けられる凹状の第２係合部３０ｂ，３０ｂに係合され、蓋体３が集塵体１００と共に本体２に装着できる。なお、集塵体１００を装着していない蓋体３を本体２に装着しようとしても、規制位置に位置する係止部材３３ａ（掛止部３３ｄ）が干渉部２１ｃと干渉するため、蓋体３を本体２に対して十分に接近させることができず、本体２の第２被係合部２１ｂ，２１ｂが蓋体３の第２係合部３０ｂ,３０ｂと係合することができない。
【００６７】
以上より、本実施形態に係る集塵装置１は、蓋体３が本体２に対して集塵体１００と一体になって着脱できるため、本体２に対して集塵体１００を着脱する作業を簡素化することができる。
【００６８】
また、本実施形態に係る集塵装置１は、蓋体３の連通部３１が一端部の吸込口３１ａから空気を吸い込み且つ他端部の送込口３１ｂから集塵体１００に空気を送り込むことができる。したがって、蓋体３が本体２に対して集塵体１００と一体になって着脱することにより、蓋体３から集塵体１００に亘って形成される塵埃の流路を分断することなく、集塵体１００を本体２に対して着脱でき、その結果、例えば、流路の途中に存在する塵埃をまき散らすのを防止することができる。
【００６９】
さらに、蓋体３が本体２に対して集塵体１００と一体になって着脱できるため、例えば、蓋体３から集塵体１００に跨って夾雑物（ナイロン袋等）が引っ掛かった際に、かかる夾雑物を除去するために、蓋体３及び集塵体１００を本体２から離脱した状態で対応することもできるため、かかる夾雑物の除去作業が非常に容易となる。
【００７０】
また、本実施形態に係る集塵装置１は、空気の吸い込みを停止する状態において、閉塞部材３２が、吸込んだ空気を集塵体１００に送るための連通部３１を閉塞する一方、空気を吸い込む状態において、当該閉塞を解除する。これにより、集塵体１００に空気を送り込むことができるにも関わらず、空気を吸い込むのを停止させるのに伴い、集塵体１００を内封させることができる。したがって、例えば、本体２に集塵体１００を着脱する際に、集塵体１００から塵埃が出ていくのを防止できる。
【００７１】
また、本実施形態に係る集塵装置１は、係止部材３３ａが集塵体１００を係止する係止位置に位置することにより、蓋体３が集塵体１００を装着できると共に、係止部材３３ａが集塵体１００の当該係止を解除する解除位置に位置することにより、蓋体３が集塵体１００を離脱することができる。したがって、例えば、集塵体１００を触ることなく係止部材３３ａを変位させることにより、蓋体３から集塵体１００を離脱させることができる。
【００７２】
また、本実施形態に係る集塵装置１は、係止部材３３ａが係止位置とは別の位置（規制位置）に位置する状態にて、蓋体３が本体２に装着される際、係止部材３３ａが本体２の干渉部２１ｃと干渉するため、集塵体１００を装着しない蓋体３が本体２に装着されるのを防止できる。したがって、例えば、蓋体３に集塵体１００を装着するのを忘れた状態で、蓋体３を本体２に装着するのを防止できる。
【００７３】
なお、本発明に係る集塵装置は、上記した実施の形態に限定されるものではなく、本発明の要旨を逸脱しない範囲内において種々変更を加え得ることは勿論である。
【００７４】
例えば、上記実施形態に係る集塵装置１は、床に載置され、モップ２００により集められた塵埃や、モップ２００に付着する塵埃を捕集する場合を説明したが、かかる場合に限られない。例えば、集塵装置は、床に載置されず持ち運びされる携帯型の掃除機（例えば、ハンドクリーナ）である場合でもよく、吸込口を有するホースを備える掃除機である場合でもよい。
【００７５】
また、上記実施形態に係る集塵装置１は、本体２の内部に送風機２２を備える場合を説明したが、かかる場合に限られず、例えば、蓋体（例えば、連通部）に送風機を備える場合でもよい。但し、かかる構成を採用する場合、送風機に塵埃が付着するため、上記実施形態に係る集塵装置１のように、集塵体１００で濾過した空気が通過する位置に送風機２２を備える方が好ましい。
【００７６】
また、上記実施形態に係る集塵装置１は、蓋体３に吸込口３１ａが設けられる場合を説明したが、かかる場合に限られず、例えば、本体２の開口部２０ａを覆う蓋体と、蓋体を覆い且つ蓋体を本体に固定させる固定体とを備え、固定体に吸込口が設けられる場合でもよい。かかる構成を採用する場合、固定体及び蓋体を介して集塵体（の内部）が集塵装置の外部と通じるように構成される。
【００７７】
また、上記実施形態に係る集塵装置１は、蓋体３が集塵体１００を連設する場合を説明したが、かかる場合に限られず、例えば、蓋体と集塵体との間に介設され、蓋体と集塵体とを一体化させる介設体を備える場合でもよい。介設体は、例えば、蓋体に固定される一方、集塵体を固定するように構成され、蓋体及び介設体を介して集塵体（の内部）が集塵装置の外部と通じるように構成される。
【００７８】
また、上記実施形態に係る集塵装置１は、集塵体１００が蓋体３に対して着脱可能な場合を説明したが、かかる場合に限られず、集塵体が蓋体と一体化される（着脱不能な）場合でもよい。かかる構成を採用する場合、集塵体には、例えば、内部に捕集した塵埃を排除すべく、開閉自在に構成される排除口が設けられる。
【００７９】
また、上記実施形態に係る集塵装置１は、中空状に形成される集塵体１００を採用する場合を説明したが、かかる場合に限られず、例えば、採用される集塵体は、中空状ではなく、内部に、塵埃を吸着（付着）させる吸着部（付着部）が設けられる場合でもよい。
【００８０】
また、上記実施形態に係る集塵装置１は、変形可能な袋状に形成される濾過部１０２で構成される集塵体１００を採用する場合を説明したが、かかる場合に限られず、例えば、採用される集塵体は、剛体の枠部と枠部に固定される濾過機能を有するフィルタ部とからなる容器状の濾過部で構成される場合でもよい。
【００８１】
また、上記実施形態に係る集塵装置１は、閉塞部材３２が連通部３１の他端部の送込口３１ｂを覆う場合を説明したが、かかる場合に限られず、例えば、閉塞部材が連通部３１の一端部の吸込口３１ａを覆う場合でもよく、また、連通部３１の中間部を閉塞する場合でもよい。
【００８２】
また、上記実施形態に係る集塵装置１は、蓋体３が係止部材３３ａにより集塵体１００を着脱可能に構成される場合を説明したが、かかる場合に限られず、例えば、蓋体が磁力により集塵体を装着可能に構成される場合でもよい。
【図面の簡単な説明】
【００８３】
【図１】本発明の一実施形態に係る集塵装置の全体図であって、斜視図を示す。
【図２】同実施形態に係る集塵装置の全体図であって、分解斜視図を示す。
【図３】同実施形態に係る集塵装置の全体図であって、分解斜視図を示す。
【図４】同実施形態に係る集塵装置の本体における全体図であって、（ａ）は正面図、（ｂ）は内視正面図を示す。
【図５】同実施形態に係る集塵装置の本体における斜視図であって、（ａ）は全体図、（ｂ）は要部拡大図を示す。
【図６】同実施形態に係る集塵装置の蓋体における全体図であって、（ａ）は正面斜視図、（ｂ）は背面斜視図を示す。
【図７】同実施形態に係る集塵装置の蓋体における全体図であって、（ａ）は正面図、（ｂ）は背面図を示す。
【図８】同実施形態に係る集塵装置の蓋体における全体図であって、係止部材の位置を説明する背面図を示す。
【図９】同実施形態に係る集塵装置の全体図であって、モップから塵埃を吸い込む状態を説明する平面図を示す。
【符号の説明】
【００８４】
１…集塵装置、２…本体、３…蓋体、２０ａ…開口部、３１…連通部、３１ａ…吸込口、３２…閉塞部材、３３ａ…係止部材、１００…集塵体
【図１】
0005219567.tif 000002
【図２】
0005219567.tif 000003
【図３】
0005219567.tif 000004
【図４】
0005219567.tif 000005
【図５】
0005219567.tif 000006
【図６】
0005219567.tif 000007
【図７】
0005219567.tif 000008
【図８】
0005219567.tif 000009
【図９】
0005219567.tif 000010